(57)【要約】【課題】屋内外何処にでも設置可能かつ保管に場所をとらず簡単に入浴できるポータブルな浴槽を提供するだけでなく、特別に設計された専用蓋と連結された給排水・過熱・スチーム発生・気泡発生・エアーポンプのための各種装置により露天風呂・スチームバス・ジェットバス・太陽熱温水器など多目的な利用ができる浴槽システムを提供する。【解決手段】空気を利用した軽量なビニール製浴槽にビニール製の専用蓋を取り付け、給排水ポンプ・加熱装置・スチーム発生装置・気泡発生装置・エアーポンプを連結し、どこでも設置できる移動携帯可能なポータブルな露天風呂・スチームバス・ジェットバス・太陽熱温水器として使用できる浴槽システムを特徴とする。【選択図】図１
2005177451.tif 000002
【特許請求の範囲】
【請求項１】
空気で膨らませて形成されるビニール製浴槽１の上部に、ビニール製の蓋２を設け、浴槽１に給水・給湯・排水のための連結パイプ３とホース４を取り付ける。ホース４の途中に給排水ポンプ５を連結し、随意に給水・給湯・排水が出来るポータブル浴槽システム。
【請求項２】
請求項１の浴槽１に連結パイプ６とホース７を取り付けて、温水化する加熱装置８を浴槽１に連結したお湯を加熱できる請求項１記載のポータブル浴槽システム。
【請求項３】
請求項１の浴槽１に連結パイプ９とホース１０を取り付けて、スチーム発生装置１１を浴槽１に連結したスチームを供給できる請求項１記載のポータブル浴槽システム。
【請求項４】
請求項１の浴槽１に連結パイプ１２とホース１３を取り付けて、気泡発生装置１４を浴槽１に連結した気泡を供給できる請求項１記載のポータブル浴槽システム。
【請求項５】
請求項１の浴槽１に連結パイプ１５とホース１６を取り付けて、エアーポンプ１７を浴槽１に連結した空気を注入・排出ができる請求項１記載のポータブル浴槽システム。
【請求項６】
請求項１の空気を抜いたビニール製浴槽１と給排水ポンプ５、請求項２の加熱装置８、請求項３のスチーム発生装置１１、請求項４の気泡発生装置１４、請求項５のエアーポンプ１７を格納できるケースを内蔵した椅子１８を附帯した請求項１記載のポータブル浴槽システム。
【発明の詳細な説明】
【技術分野】
【０００１】  この発明は、空気で膨らませて簡単にどこでも設営可能なポータブルな給排水・加熱・スチーム発生・気泡発生・エアーポンプなどの装置付きビニール製浴槽システムに関するものである。
【背景技術】
【０００２】  従来から、浴室に設置された固定式浴槽システムや移動式簡易浴槽システムがあった。しかし、これらの浴槽システムでは一つのシステムとして露天風呂・スチームバス・ジェットバス・温水器として容易かつ多目的に利用することができなかった。また、エアーポンプを使って瞬時に設営・格納が可能で、保管も場所をとらず格納庫も椅子として利用ができる。
【発明の開示】
【発明が解決しようとする課題】
【０００３】  これらには次のような欠点があった。固定式浴槽システムでは、移動することが出来ないので浴室以外で利用することは出来ない。重量かつ複雑なシステムであるので高価である。寝たせ湯にするには広いスペースと大型化の費用を要する。ベランダ等屋外で露天風呂として利用できない。老人や病人介護のためベッドサイドで利用できない。大規模かつ高価な装置を付けないとスチーム・バスやジェット・バスとして利用できない。浴槽そのものを太陽熱を利用した温水器として使えない。また移動式簡易浴槽システムでは、給排水装置・加熱装置・スチーム発生装置・気泡発生装置が連結していないので、風呂・スチームバス・ジェットバスとして容易に利用することができない。また、本発明のように特別な仕様の蓋がないため、保温が出来ない、温水器として使えない、スチーム・バスとして利用できない、などの欠点があった。本発明は、これらの欠点を除き安価で気軽に多目的（露天風呂・スチームバス・ジェットバス・介護用バス・温水器など）に利用できるようになされたものである。また、従来の移動式簡易浴槽システムでは設営・格納に手間を要し格納後の保管も不便であるなど欠点があったが、本システムでは備付けのエアーポンプで瞬時に設営・格納が可能であり、格納庫も椅子として利用ができる。
【課題を解決するための手段】
【０００４】  ビニール又はナイロンと同等の軽量で強度のある材料で、空気で膨らませて形成できる浴槽１を作る。浴槽１上部にビニール製の蓋２を設ける。蓋２の内面と浴槽１の上端に面ファスナー１９又はジッパーを取り付け蓋２が簡単に浴槽１から着脱出来るようにする。蓋２の両側面にスリットを入れ、面ファスナー又はジッパー２０を取り付け開閉可能な首出用窓２１を作る。そして、浴槽１の側面に給水・給湯・排水のための連結パイプ３とホース４とを取り付ける。さらに給排水用ホース４の途中に給排水ポンプ５を取り付け、随意に給水・給湯・排水を可能とする。【０００５】  更に、浴槽１のお湯を加熱できるように浴槽１の側面に連結パイプ６とホース７を取り付け、加熱装置８を連結する。【０００６】  更に、スチームを供給するため浴槽１の側面に連結パイプ９とホース１０を取り付け、スチーム発生装置１１を連結する。【０００７】  更に、気泡を供給するため浴槽１の側面に連結パイプ１２とホース１３を取り付け、気泡発生装置１４を連結する。【０００８】  更に、空気を注入・排出するため浴槽１の側面に連結パイプ１５とホース１６を取り付け、エアーポンプ１７を連結する。【０００９】  更に、空気を抜いた浴槽１および給排水ポンプ５、加熱装置８、スチーム発生装置１１、気泡発生装置１４、エアーポンプ１７を、ケースを内蔵した椅子１８に格納する。尚、商品化にあたり給排水ポンプ５および加熱装置８、スチーム発生装置１１、気泡発生装置１４、エアーポンプ１７の機器はユニットを統合する場合を含む。本発明は、以上のような構成よりなる移動式携帯浴槽システムである。
【発明の効果】
【００１０】  本発明品の基本的特徴が（１）軽量で移動携帯可能なこと（２）主たる部分の浴槽が安価であることから本発明により、庭・ベランダなど屋外で、何時でも何処でも簡単に露天風呂が楽しめリフレッシュできる。スチーム・バスとして利用すれば、何時でも簡単に美容と健康を目的としてリラックスできる。老人や病人介護のために利用すれば、介護部屋や病室でも気軽に風呂を楽しむことができる。寝たせ湯できるサイズに大型化することにより、よりリラックス感が味わえる。ビニール製蓋を取り付けたことにより、屋外に設置して太陽熱を利用した温水器として利用しエネルギーの節約ができる。軽量・移動式・簡易システムであるが故に、多目的に利用できる。使用しない時は、エアーポンプを使って浴槽の空気を抜き備付けの格納庫に保管するが、この格納庫も椅子として利用できそのまま設置していても邪魔にならない。浴槽が軽量かつ安価であるため、この部分が痛んだ場合は安価で気軽に交換できる。また大量生産してコストダウンができれば使い捨て浴槽としても利用できる。露天風呂として使用する時は、ビニール製蓋を取り付けたことにより外気を遮断して保温効果が得られる。また、ごみ等の混入を防ぎ水質をクリーンに保つことができる。家庭における浴室浴槽と連動して利用すれば、お湯や水の共同利用ができエネルギーや水の節約ができる。露天風呂として使用する時は、風呂自身の清掃・保守が従来の固定した露天風呂に比べて著しく簡単（排水して雑巾で拭くだけ）である。不用になった水は、洗濯用・庭木の水撒用・車の洗車用として再利用ができる。以上、本発明により浴槽の多目的な利用が可能となった。
【発明を実施するための最良の形態】
【００１１】  実施例１．ビニール又はナイロンと同等の軽量で強度のある材料で、空気で膨らませて形成できる浴槽１を作る。浴槽１上部にビニール製の蓋２を設ける。蓋２の内面と浴槽１の上端に面ファスナー１９又はジッパーを取り付け蓋２が簡単に浴槽１から着脱出来るようにする。蓋２の片面にスリットを入れ、面ファスナー又はジッパー２０を取り付け開閉可能な首出用窓２１を作る。そして、浴槽１の側面に給水・給湯・排水のための連結パイプ３とホース４とを取り付ける。さらに給排水用ホース４の途中に給排水ポンプ５を取り付け、随意に給水・給湯・排水を可能とする。【００１２】  実施例２．更に、浴槽１のお湯を加熱できるように浴槽１の側面に連結パイプ６とホース７を取り付け、加熱装置８を連結する。【００１３】  実施例３．更に、スチームを供給するため浴槽１の側面に連結パイプ９とホース１０を取り付け、スチーム発生装置１１を連結する。【００１４】  実施例４．更に、気泡を供給するため浴槽１の側面に連結パイプ１２とホース１３を取り付け、気泡発生装置１４を連結する。【００１５】  実施例５．更に、空気を注入・排出するため浴槽１の側面に連結パイプ１５とホース１６を取り付け、エアーポンプ１７を連結する。【００１６】  実施例６．更に、空気を抜いた浴槽１および給排水ポンプ５、加熱装置８、スチーム発生装置１１、気泡発生装置１４、エアーポンプ１７を、ケースを内蔵した椅子１８に格納する。尚、商品化にあたり給排水ポンプ５および加熱装置８、スチーム発生装置１１、気泡発生装置１４、エアーポンプ１７の機器はユニットを統合する場合を含む。本発明は、以上のような構成よりなる移動式携帯浴槽システムである【００１７】  以下、本発明の機能的特徴と利用の形態について説明する。エアーポンプ１７でビニール製浴槽に空気を入れて膨らまし浴槽１を形成する。ビニール製の蓋２を閉じる。家庭の浴室風呂で沸かした浴槽等に用意した湯をホースと給排水ポンプ５を作動させて浴槽１に入れる。必要に応じて蓋２を開閉または取り外し風呂として使用する。ベランダ等屋外に設置して露天風呂として利用する。外温が低い場合は蓋２を閉じ首出窓から首を出してはいる。身長サイズの大型浴槽として、寝たせ湯として利用する。太陽熱温水器として利用する場合は、太陽の当る場所に浴槽１を設置し、湯の替わりに水を入れ蓋２を閉じて太陽熱を利用してお湯を作る。保温または水温が不足する場合は、連結した加熱装置８を作動させて加熱する。一時的に利用しない場合は、給排水ポンプ５を作動させて、お湯を家庭の浴室の浴槽等に戻し、屋内の風呂として利用できる。再度利用する場合、給排水ポンプ５を再作動させて浴槽１に戻して再利用できる。スチーム・バスとして利用する場合は、給排水ポンプ５で給湯する替わりに連結したスチーム発生装置１１を作動させて、スチームを入れて利用する。ジェット・バスとして利用する場合は、連結した気泡発生装置１４を作動させて利用する。老人介護施設や病院の部屋で利用する場合は、家庭の浴槽に相当する移動式等のタンクが別途必要となる。利用後は、エアーポンプ１７でビニール製浴槽の空気を抜き、格納庫の椅子１８に保管する。
【図面の簡単な説明】
【００１８】
【図１】本発明の全体斜視図である
【図２】本発明に係る蓋の裏面図である。
【図３】本発明に係る蓋をした浴槽の断面図である。
【符号の説明】
【００１９】  １  浴槽
２  蓋
３  連結パイプ
４  ホース
５  給排水ポンプ
６  連結パイプ
７  ホース
８  加熱装置
９  連結パイプ
１０  ホース
１１  スチーム発生装置
１２  連結パイプ
１３  ホース
１４  気泡発生装置
１５  連結パイプ
１６  ホース
１７  エアーポンプ
１８  格納椅子
１９  面ファスナー
２０  ジッパー
２１  首出用窓
２２  空気入口
２３  浴槽底
【図１】
2005177451.tif 000003
【図２】
2005177451.tif 000004
【図３】
2005177451.tif 000005